(57)【特許請求の範囲】
【請求項１】
底端部から頂端部に向かって延伸する管状の収納胴部と、
前記収納胴部内が２以上に区画されて設けられた区画収納部であって、それぞれゴルフクラブを収納可能に構成される複数の区画収納部と、
前記頂端部を覆うように構成されるフードと、
前記フードとは別に設けられ、前記複数の区画収納部のいずれか一つの対応区画収納部内のゴルフクラブのヘッドを包容するように構成されたヘッド包容筒状体と、
を備え、
前記ヘッド包容筒状体は、前記底端部に近い側の端部の一部が前記収納胴部の内周壁に固定され、前記固定された端部とは反対側の端部に閉開自在の開口が形成され、前記底端部に向かって折り畳んだ状態で前記対応区画収納部の内側に収納可能に構成されることを特徴とするゴルフバッグ。
【請求項２】
前記ヘッド包容筒状体が前記対応区画収納部の内側に収納された状態で、前記ヘッド包容筒状体の前記固定された端部とは反対側の端部は前記収納胴部の内側に収納可能に構成されることを特徴とする請求項１に記載のゴルフバッグ。
【請求項３】
前記ヘッド包容筒状体は、前記底端部に近い側の端部が前記収納胴部の内周壁に設けられる内皮と結合されることを特徴とする請求項１または２に記載のゴルフバッグ。
【請求項４】
前記対応区画収納部は、仕切によって区画される複数の小区画を含み、
前記ヘッド包容筒状体は、前記複数の小区画のそれぞれに収納したゴルフクラブを一体に包容可能に構成されることを特徴とする請求項１から３のいずれかに記載のゴルフバッグ。
【請求項５】
前記仕切には、折り畳んだ前記ヘッド包容筒状体の一部を受容れるスリットが設けられることを特徴とする請求項４に記載のゴルフバッグ。
【請求項６】
前記ヘッド包容筒状体は、包容したヘッドに付着した水分を吸着可能に構成される吸湿部を交換可能に保持するポケットを有することを特徴とする請求項１から５の何れかに記載のゴルフバッグ。
【発明の詳細な説明】
【技術分野】
【０００１】
本発明は、ゴルフバッグ及びヘッド包容筒状体に関する。
【背景技術】
【０００２】
ゴルフクラブ（以下、単に「クラブ」という）にはウッドクラブ、アイアンクラブ、ユーティリティクラブ、パタークラブなどがあり、これらのクラブは、保管、運搬及びプレイ中に保持される際に、例えば数本から十数本がまとめてゴルフバッグに収納される。
【０００３】
特に、ウッドクラブのヘッド（以下、単に「ヘッド」という）については、ヘッド及びシャフトを保護するため、ヘッド側から被せるヘッドカバーが使用されることがある。このようなヘッドカバーの例として例えば特許文献１のものがある。これらのヘッドカバーは、一つのクラブに一つのヘッドカバーが用いられる。
【先行技術文献】
【特許文献】
【０００４】
【特許文献１】特開２０１５−３９５３１号公報
【発明の概要】
【発明が解決しようとする課題】
【０００５】
これらのヘッドカバーであっても、ゴルフをプレイしている際に、ヘッドからヘッドカバーを取り外すのは手間がかかり、また、ヘッドカバーを外した際にそれを紛失しないように保管する手間がかかる。一方でアイアンクラブではヘッドにカバーを被せるケースは少ない。これは、アイアンクラブは１０本前後をゴルフバッグに収納して、その中から目的のクラブを頻繁に取り替えながらプレイするのが一般的であり、その度にヘッドカバーを脱着し、またその度に紛失防止等を考慮するのはかなり煩わしいためと考えられる。さらに、近年ヘッドのフェースの溝形状も特殊技術が駆使され、アイアンクラブのフェースを繊細に保護すべきニーズが高まっている。これらの背景から、本発明者は、クラブフェースの保護を容易にするため取り扱いの煩わしさを軽減することが課題であると認識した。
【０００６】
本発明は、このような課題に鑑みてなされたものであり、その目的の１つは、ヘッドを保護しつつ、ヘッドを包容する状態とヘッドを露出する状態とを素早く切り替え可能なゴルフバッグを提供することにある。
【課題を解決するための手段】
【０００７】
上記課題を解決するために、本発明のある態様のゴルフバッグは、底端部から頂端部に向かって延伸する管状の収納胴部と、収納胴部内が２以上に区画されて設けられた区画収納部であって、それぞれゴルフクラブを収納可能に構成される複数の区画収納部と、頂端部を覆うように構成されるフードと、フードとは別に設けられ、複数の区画収納部のいずれか一つの対応区画収納部内のゴルフクラブのヘッドを包容するように構成されたヘッド包容筒状体と、を備える。ヘッド包容筒状体は、底端部に近い側の端部の一部が収納胴部の内周壁に固定され、固定された端部とは反対側の端部に閉開自在の開口が形成され、底端部に向かって折り畳んだ状態で対応区画収納部の内側に収納可能に構成される。
【０００８】
この態様によると、その下端が収納胴部に固定され底端部に向かって折り畳み可能なヘッド包容筒状体を備えることができる。つまりヘッド包容筒状体は、固定された端部に向かって折り畳むことができ、固定された端部と反対側の端部が突出方向に延伸できる。
【０００９】
なお、ヘッド包容筒状体は、包容したヘッドに付着した水分を吸着可能に構成される吸湿部を含むようにしてもよい。この態様によると、ヘッド包容筒状体の吸湿部がヘッドに付着した水分を吸着できる。
【００１０】
また、ヘッド包容筒状体は、底端部に近い側の端部が収納胴部の内周壁に設けられる内皮と結合されてもよい。この態様によると、内皮に結合されるから、ヘッド包容筒状体の開口を上向きに引き上げることで円筒状に延伸させて容易にヘッドを包容できる。
【００１１】
また、複数の区画収納部のうち少なくともいずれかはさらに区画される複数の小区画を含み、ヘッド包容筒状体は、複数の小区画のそれぞれに収納したゴルフクラブを一体に包容可能に構成されてもよい。この態様によると、小区画のそれぞれに収納したゴルフクラブを一体にそれらのヘッドについて包容と露出をすることができる。
【００１２】
また、ヘッド包容筒状体は、固定された端部と反対側の端部にファスナー、ボタン、スナップ、ホック、ループ状のゴム体、面ファスナーまたは締め紐を含む閉口手段が設けられてもよい。この態様によると、閉口手段が設けられるからヘッド包容筒状体の開口を容易に塞ぐことができる。
【００１３】
また、ヘッド包容筒状体の外周であって包容したヘッドを環囲する位置に巻装可能に形成された帯状体が設けられてもよい。この態様によると、ヘッド包容筒状体の外周に帯状体を巻装することによってヘッド包容筒状体をヘッドに密着させることができる。
【００１４】
上記課題を解決するために、本発明のある態様のヘッド包容筒状体は、第１端部から第２端部に向かって延在してゴルフクラブのヘッドを包容すべき管状部を備える。第１端部はゴルフバッグのゴルフクラブを収納する収納胴部の開口部に取り付け可能に構成され、第２端部の開口には開閉自在な閉口手段が設けられ、第１端部が収納胴部に取り付けられた状態において、管状部は第１端部に向かって折り畳み自在に形成されると共に、第２端部の開口はゴルフクラブ全体を挿通自在に形成される。
【００１５】
この態様によると、ヘッド包容筒状体は、取り付けられた端部に向かって折り畳むことによってヘッドを露出でき、延伸することによってヘッドを包容できる。
【発明の効果】
【００１６】
本発明によれば、ヘッドを包容する状態とヘッドを露出する状態とを素早く切り替えできて、ヘッドの出し入れが円滑になるゴルフバッグを提供できる。
【図面の簡単な説明】
【００１７】
【図１】実施の形態に係るゴルフバッグを示す斜視図である。
【図２】図１のヘッド包容筒状体の斜視図である。
【図３】ヘッド包容筒状体の周辺の断面図である。
【図４】ヘッド包容筒状体の姿態を示す斜視図である。
【図５】変形例に係るゴルフバッグのヘッド包容筒状体を示す斜視図である。
【発明を実施するための形態】
【００１８】
以下、本発明を好適な実施の形態をもとに図１〜４を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１９】
図１はゴルフバッグ１００を模式的に示す斜視図で、理解を容易にするため、フード１４を分離し、一部を切り欠いた状態を示している。ゴルフバッグ１００は、底端部１２ａから頂端部１２ｂに向かって延伸する管状の収納胴部１２と、頂端部１２ｂを覆うように構成されるフード１４と、を含む。以下の説明において、底端部１２ａに対して頂端部１２ｂが設けられる側を上側または上向きと表記する。この表記は使用の姿勢を制限するものではない。
【００２０】
ゴルフバッグ１００は、収納胴部１２が区画収納部１６、１８、２０の３つに区画される。収納胴部１２には区画収納部１６及び１８を仕切る仕切２２と、区画収納部１８及び２０とを仕切る仕切２４とが設けられる。仕切２２及び２４は、頂端部１２ｂから底端部１２ａに向かって所定の深さまで延在する板状部材が使用される。仕切２２及び２４の少なくとも一つは底端部１２ａまで延伸してもよい。区画収納部１６、１８、２０は、それぞれ複数のクラブ３０を収納可能な大きさに形成されてもよい。
【００２１】
ゴルフバッグ１００は、それぞれの区画収納部１６、１８、２０に対応して、そこに収納したクラブ３０のヘッド３２を包容するヘッド包容筒状体４０をさらに備える。図１では、理解を容易にするためヘッド包容筒状体４０を破線で示と共に、区画収納部１８、２０に対応するヘッド包容筒状体の記載を省いている。図２はヘッド包容筒状体４０の斜視図である。ヘッド包容筒状体４０は、例えば布様体から、上下方向に延在する管状部４０ｃを含む。
【００２２】
ヘッド包容筒状体４０は、周方向に連続してもよく、周方向の一部に一つ又は複数の隙間、切れ目あるいはスリットなどの非連続部が設けられてもよい。ヘッド包容筒状体４０は、布様体に替えて皮様体、可撓性を有するプラスチックあるいはゴム様体からなる膜から形成されてもよい。
【００２３】
ヘッド包容筒状体４０は、底端部１２ａに近い側の端部４０ａがストレートの一重にされ、端部４０ａの外側部分の３方の面が内周壁１２ｄに固定され、１方の面が仕切２２に固定される。
【００２４】
特に、収納胴部１２の内周面には例えば布様体から形成される内皮２８が内張され、ヘッド包容筒状体４０は内皮２８に接着される。ヘッド包容筒状体４０は接着に代えて縫合など別の方法によって固定されてもよい。ヘッド包容筒状体４０は内皮２８と一体に形成される部分を含んでもよい。つまり、内皮２８の上側に延伸した部分がヘッド包容筒状体４０の一部または全部を構成してもよい。
【００２５】
ヘッド包容筒状体４０は端部４０ａが底端部１２ａの内側に固定されてもよい。
【００２６】
図３はヘッド包容筒状体４０の側面視によるＡ−Ａ線断面図である。ヘッド包容筒状体４０は、上下方向に伸縮自在に構成され、底端部１２ａに向かって折り畳むことができる。図２（ａ）、図３（ａ）は、ヘッド包容筒状体４０が上下方向に折り畳まれて端部４０ｂが収納胴部１２の内側に収納され、クラブ３０の上側が露出している第１姿態を示している。例えば、収納胴部１２の内側に収納空間を形成しておき、折り畳んだヘッド包容筒状体４０を収納するようにしてもよい。図２（ｂ）、図３（ｂ）は、端部４０ｂが収納胴部１２から一部上側にはみ出すと共にヘッド３２はなお露出している第２姿態を示す。図２（ｃ）、図３（ｃ）は、端部４０ｂがさらに上側に突出してヘッド３２を包容している第３姿態を示す。
【００２７】
区画収納部１６はさらに区画される二つの小区画１６ａ、１６ｂを含む。小区画１６ａ、１６ｂの間には頂端部１２ｂから下向きに延在する板状の仕切２６が設けられる。仕切２６には、折り畳んだヘッド包容筒状体４０の一部を受容れるスリット（不図示）が設けられる。小区画１６ａ、１６ｂはそれぞれ１または複数のクラブ３０を収納可能に形成される。ヘッド包容筒状体４０は、小区画１６ａ、１６ｂのそれぞれに収納したクラブ３０のヘッド３２を一体に包容可能に形成される。収納胴部１２は区画収納部１８と区画収納部２０にも小区画が設けられる。
【００２８】
図４（ａ）は、ヘッド包容筒状体４０の端部４０ｂが絞られた姿態を示す斜視図である。ヘッド包容筒状体４０の端部４０ｂには紐通し部が環状に設けられ、紐通し部にはその切欠き口から締め紐４４が挿通され、締め紐４４の露出部分には係止具４４ａがスライド移動可能に装着されている。締め紐４４に沿って端部４０ｂを絞ることによって開口４０ｄを所望の大きさに縮めることができる。係止具４４ａを締め紐４４の所定の位置にスライドすることによって、開口４０ｄの拡がりを抑制できる。
【００２９】
図４（ｂ）は、ヘッド包容筒状体４０の外周面に帯状体３８が巻装された状態を示す斜視図である。帯状体３８は布様体から横方向に長い略矩形状あるいは紐状に形成される。帯状体３８は、布様体に代えてプラスチック樹脂、皮様体あるいはゴム様体から形成してもよい。帯状体３８はヘッド包容筒状体４０の外周面を周回可能な長さを有する。帯状体３８は、ヘッド包容筒状体４０の外周面に固定される一端と、非固定に設けられる他端とを有する。帯状体３８は、一端側の外側と他端側の内側とに面ファスナーを含む付着部３８ｂが設けられる。付着部３８ｂはヘッド包容筒状体４０の外周面に巻装された状態の帯状体３８が容易に解けないように互いに貼付く。付着部３８ｂは、面ファスナーに代えてボタン、スナップまたはホックを使用することができる。
【００３０】
ゴルフは水分を含んだ芝や草の中でクラブを使用する際に、ヘッドには多くの水分が付着することがある。また、付着した泥を除去するため積極的に水で洗うことも考えられる。このように水分が付着したままのクラブを従来のゴルフバッグに収納して保管すると、その水分が容易に揮発してゴルフバッグ自身の発カビ・変色やクラブの発カビ・発錆・変色などの原因になりうる。
【００３１】
図４（ｃ）は、吸湿性を有する布様体から形成される吸湿部４２が設けられたヘッド包容筒状体４０の斜視図である。吸湿部４２は、ヘッド３２に付着した水分の影響を抑制するため、包容したヘッド３２に付着した水分を吸着可能に構成される。吸湿部４２は、布様体に代えて、吸湿性を有する紙様体、多孔質の発砲樹脂及びこれらの組み合わせた部材を含んでもよい。吸湿部４２はヘッド３２を環囲する４面のそれぞれに分割して設けられている。吸湿部４２は全周に亘って連続して設けられてもよく、部分的に設けられてもよい。
【００３２】
吸湿部４２は容易に交換可能に設けられてもよい。例えば、ヘッド包容筒状体４０に吸湿部４２を保持する保持手段を設けてもよい。当該保持手段は、一例としてヘッド包容筒状体４０の内側に設けたポケットを用いることができる。
【００３３】
ヘッド包容筒状体４０の開口４０ｄの縁４０ｅは管状部４０ｃの厚みより厚く形成されてもよい。一例として、開口４０ｄの縁４０ｅは、折り返しして縫合することで管状部４０ｃの厚みの２倍以上にされる。この場合、開口４０ｄの縁の開口形状を短時間であれば自己維持可能になり、開口状態でクラブ３０の出し入れが容易になる。また、開口４０ｄの縁４０ｅが掴みあるいは摘み易くなるから、ヘッド包容筒状体４０を伸張、折りたたみする際にその縁を掴みあるいは摘むことで作業を円滑化しうる。
【００３４】
次に、ゴルフバッグ１００の使用方法を説明する。まず図２（ａ）、図３（ａ）に示すように、第１姿態にしてヘッド包容筒状体４０を収納胴部１２の内側に収納する。第１姿態で露出しているクラブ３０を掴んで出し入れする。次に図２（ｂ）、図３（ｂ）に示すように、ヘッド包容筒状体４０の端部４０ｂを摘んで上側に引き上げて収納胴部１２から突出させて第２姿態にする。第２姿態で露出しているヘッド３２を掴んで出し入れする。この状態では水滴、草木の破片などの収納胴部１２への侵入を抑制する。
【００３５】
次に図２（ｃ）、図３（ｃ）に示すように、ヘッド包容筒状体４０の端部４０ｂをさらに上側に引き上げて第３姿態にする。第３姿態ではヘッド３２を包容するが開口４０ｄは開口している。この状態では水滴、草木の破片などの収納胴部１２への侵入を抑制する。次に図４（ａ）に示すように、締め紐４４に沿って端部４０ｂを絞り開口４０ｄを所望の大きさに縮め、係止具４４ａを所定の位置にスライドして開口４０ｄの閉口状態を維持する。次に図４（ｂ）に示すように、ヘッド包容筒状体４０の外周に帯状体３８を巻装する。次にフード１４を収納胴部１２にかぶせて固定する。この状態で、ゴルフバッグ１００の移送、保管を行う。
【００３６】
本実施の形態のゴルフバッグ１００は以下のような特徴を有する。一般に、プレイ時にはゴルフバッグは傾斜した状態でカート車に保持されクラブが出し入れされる。この際にクラブが収納胴部の縁と擦れ、その摩擦の不快感やクラブの傷つきが懸念される。ゴルフバッグ１００によれば、収納胴部１２とクラブ３０との間にヘッド包容筒状体４０が介在するから摩擦による不快感や傷つきが抑制され、出し入れも円滑になる。
【００３７】
また、ゴルフバッグ１００によれば、第２姿態や第３姿態のようにヘッド包容筒状体４０を適宜引き出しておくことによって、プレイ中であっても、降雨の際の雨の侵入、草木の破片や砂ちりの侵入またはゴルフボールの誤った入り込みなどを抑制しうる。つまり、従来のヘッドカバーはプレイ時には邪魔であったものが、ヘッド包容筒状体４０はプレイ時にも有用に機能しうる。
【００３８】
また、ゴルフバッグ１００によれば、区画収納部１６に対応してヘッド包容筒状体４０を設けるから、一つのクラブに一つのヘッドカバーを用いる場合に比べて脱着の手間が少なくなり、ゴルフバッグ全体に対応して一つのヘッドカバーを設ける場合に比べてヘッド包容筒状体４０のヘッド３２への密着が容易になる。
【００３９】
また、ゴルフバッグ１００によれば、ヘッド包容筒状体４０は下側の端部４０ａが固定され上側の端部４０ｂが開口するから、ヘッド包容筒状体４０が包容している状態の個々のヘッド３２に上から被せる従来のヘッドカバーを被せることができる。この場合、従来のヘッドカバーの作用効果に、実施の形態の作用効果を重ねて奏することが可能になる。
【００４０】
次に変形例について説明する。図５は変形例にかかるゴルフバッグの図２（ｃ）に対応するヘッド包容筒状体１４０の斜視図である。ゴルフバッグ１００と重複する説明は省き相違点のみを説明する。ヘッド包容筒状体１４０の端部１４０ａには折り返しが設けられる。この場合、開口１４０ｄを押し下げる際の抵抗を小さくできるから、ヘッド包容筒状体１４０の伸縮動作が円滑になる。
【００４１】
ヘッド包容筒状体１４０の開口１４０ｄの内側の互いに対向する両縁にはスナップ１４４が設けられる。スナップ１４４は、両側から挟まれることで開口１４０ｄの対向する両縁を結合する。この場合、ワンタッチで開口１４０ｄを閉口あるいは開口することができる。開口を閉じる手段としては、スナップに代えて、ファスナー、ボタン、ホック、ループ状のゴム体、面ファスナーなどの種々の閉口手段が用いられてもよい。当該変形例は上記に説明したゴルフバッグ１００の特徴を同様に有する。
【符号の説明】
【００４２】
１２  収納胴部、  １２ａ  底端部、  １２ｂ  頂端部、  １２ｄ  内周壁、
１４  フード、  １６  区画収納部、  １６ａ  小区画、  １８  区画収納部、
２０  区画収納部、  ２２  仕切、  ２４  仕切、  ２６  仕切、  ２８  内皮、
３０  クラブ、  ３２  ヘッド、  ３８  帯状体、  ３８ｂ  付着部、
４０  ヘッド包容筒状体、  ４０ａ  端部、  ４０ｂ  端部、
４０ｃ  管状部、  ４０ｄ  開口、  ４２  吸湿部、  ４４  締め紐、
４４ａ  係止具、  １００  ゴルフバッグ。
【図１】
0006579572.tif 000002
【図２】
0006579572.tif 000003
【図３】
0006579572.tif 000004
【図４】
0006579572.tif 000005
【図５】
0006579572.tif 000006